(57)【特許請求の範囲】
【請求項１】
データ接続がない状態で、Ｎ個のブロードキャストフレーム信号をフル電力を使用して送信した後、Ｍ個のブロードキャストフレーム信号を低電力を使用して送信することを含み、ここで、Ｍは０より大きな整数であり、Ｎは０より大きな整数であり、ＭとＮとの合計は一定期間不変のままであり、
各ステーションの受信信号強度インデックス（ＲＳＳＩ）を検出し、前記ＲＳＳＩに従ってパラメータＮ及びＭの値を動的に調節することを含む、
無線アクセスポイント装置の動作方法。
【請求項２】
データ接続がある状態で、全ての適合する送信速度のうち最も低い送信速度を使用してデータ接続を確立し、
現在の送信速度が現在の実際のスループットと予め設定されたシステムパラメータとの合計以上であるかどうかを判断し、前記現在の送信速度が前記現在の実際のスループットと前記予め設定されたシステムパラメータとの合計より小さい場合、送信速度を増加させ、前記現在の送信速度が前記現在の実際のスループットと前記予め設定されたシステムパラメータとの合計以上である場合、前記現在の送信速度を不変のまま維持することを更に含む、
請求項１に記載の無線アクセスポイント装置の動作方法。
【請求項３】
前記現在の送信速度が前記現在の実際のスループットと前記予め設定されたシステムパラメータとの合計以上であるかどうかを判断し、前記現在の送信速度が前記現在の実際のスループットと前記予め設定されたシステムパラメータとの合計より小さい場合、前記送信速度を増加させ、前記現在の送信速度が前記現在の実際のスループットと前記予め設定されたシステムパラメータとの合計以上である場合、前記現在の送信速度を不変のまま維持することの後に、
前記現在の送信速度での送信における信号強度、信号対雑音比、又は不良パケットの数が前記現在の送信速度の正常動作要件を満たすかどうかを判断し、前記現在の送信速度の前記正常動作要件を満たさない場合、前記現在の送信速度を減少させることを更に含む、
請求項２に記載の無線アクセスポイント装置の動作方法。
【請求項４】
データ接続がない状態で、Ｎ個のブロードキャストフレーム信号をフル電力を使用して送信した後、Ｍ個のブロードキャストフレーム信号を低電力を使用して送信するように構成された電力選択ユニットであって、ここで、Ｍは０より大きな整数であり、Ｎは０より大きな整数であり、ＭとＮとの合計は一定期間不変のままである、前記電力選択ユニットと、
各ステーションの受信信号強度インデックス（ＲＳＳＩ）を検出し、前記ＲＳＳＩに従ってパラメータＮ及びＭの値を動的に調節するように構成された調節ユニットと、
を備える、無線アクセスポイント装置。
【請求項５】
データ接続がある状態で、全ての適合する送信速度のうち最も低い送信速度を使用してデータ接続を確立するように構成された接続確立ユニットと、
現在の送信速度が現在の実際のスループットと予め設定されたシステムパラメータとの合計以上であるかどうかを判断するように構成された第１の判断ユニットと、
前記現在の送信速度が前記現在の実際のスループットと前記予め設定されたシステムパラメータとの合計より小さい場合、送信速度を増加させるように構成された速度増加ユニットと、
を更に備える、請求項４に記載の無線アクセスポイント装置。
【請求項６】
前記現在の送信速度での送信における信号強度、信号対雑音比、又は不良パケットの数が前記現在の送信速度の正常動作要件を満たすかどうかを判断するように構成された第２の判断ユニットと、
前記現在の送信速度での送信における前記信号強度、前記信号対雑音比、又は前記不良パケットの数が前記現在の送信速度の前記正常動作要件を満たさない場合、前記現在の送信速度を減少させるように構成された速度減少ユニットと、
を更に備える、請求項５に記載の無線アクセスポイント装置。
【発明の詳細な説明】
【技術分野】
【０００１】
本発明は、通信技術の分野に関し、特に、無線アクセスポイント装置の動作方法及び無線アクセスポイント装置に関する。
【背景技術】
【０００２】
無線ローカルエリアネットワークは、ネットワーキングが柔軟かつ簡便であるため、ますます普及が拡大している。無線ローカルエリアネットワークは、通常、無線アクセスポイント（Ａｃｃｅｓｓ  Ｐｏｉｎｔ、ＡＰ）及びステーション（Ｓｔａｔｉｏｎ）という２つの部分の装置によって形成される。無線ＡＰの下りリンクは、一定範囲内の無線アクセス信号のカバレージに関与する。範囲内のコンピュータ及び携帯電話などの様々な端末が、ステーションを介して無線ＡＰに接続され、ネットワークにアクセスすることが可能である。
【０００３】
適切な帯域幅を提供するために、既存の無線ＡＰの上りリンクは、イーサネット(登録商標）又は光ファイバを介してインターネットにアクセスする。しかし、３Ｇ（３ｒｄ  Ｇｅｎｅｒａｔｉｏｎ、第３世代移動通信）及びＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ワールドワイド・インターオペラビリティ・フォー・マイクロウェーブ・アクセス）などの無線技術の向上に伴い、上りリンクにおけるＨＳＰＡ（Ｈｉｇｈ  Ｓｐｅｅｄ  Ｐａｃｋｅｔ  Ａｃｃｅｓｓ、高速パケットアクセス）又はＷｉＭａｘなどの無線通信フォーマットでの無線ＡＰが、上りリンクにおいて、イーサネット（登録商標）及び光ファイバを介してインターネットにアクセスする従来の無線ＡＰの代わりに採用されている。
【０００４】
このようにして、無線ＡＰの移動性及び携帯性は大幅に向上した。新世代のモバイル無線ＡＰは、外部電源なしで屋外で正常に動作できることが要求され、従って、電力供給のためにバッテリを使用することは必然的な傾向である。
【発明の概要】
【発明が解決しようとする課題】
【０００５】
無線ＡＰへの電力供給のためにバッテリを使用することの実施において、発明者は、従来技術が少なくとも以下の問題を有することを見い出した。
【０００６】
無線ＡＰとして、信号は、２つの状態（すなわち、データ送信がないアイドル状態、及び、データ送信がある接続状態）で送信される。アイドル状態においては、ＡＰは、ブロードキャストフレーム信号を周期的に送信する必要があり、これにより、周辺ステーションは、ＡＰの情報を任意の時に取得して、アクセスすることが可能である。接続状態においては、既存の無線ＡＰは全て高い送信速度の状態にあり、より高い送信速度は明らかにより高次の変調モードに対応し、これにより必然的に、より多くのシステムリソースを占有し、より多くの電力を消費する。結論として、既存の技術的解決法における無線ＡＰは、大きな電力を消費し、従って、電力供給のためにバッテリが使用される場合、無線ＡＰの動作時間は短い。
【課題を解決するための手段】
【０００７】
本発明の実施形態は、電力消費を減少させ、電力供給のためにバッテリが使用される場合の動作時間を延長するための無線アクセスポイント装置の動作方法及び無線アクセスポイント装置を提供する。
【０００８】
上記の目的を達成するために、本発明の実施形態は、以下の技術的解決法を採用する。
【０００９】
無線アクセスポイント装置の動作方法は、
データ接続がない状態で、Ｎ個のブロードキャストフレーム信号をフル電力を使用して送信した後、Ｍ個のブロードキャストフレーム信号を低電力を使用して送信することを含み、
ここで、Ｍは０より大きな整数であり、Ｎは１より大きな整数又はＮは０より大きな整数であり、ＭとＮとの合計は一定期間不変のままである。
【００１０】
無線アクセスポイント装置は、
データ接続がない状態で、Ｎ個のブロードキャストフレーム信号をフル電力を使用して送信した後、Ｍ個のブロードキャストフレーム信号を低電力を使用して送信するように構成された電力選択ユニットを含み、ここで、Ｍは０より大きな整数であり、Ｎは１より大きな整数又はＮは０より大きな整数であり、ＭとＮとの合計は一定期間不変のままである。
【００１１】
本発明の実施形態による無線アクセスポイント装置の動作方法及び無線アクセスポイント装置は、データ接続がない状態で、Ｎ個のブロードキャストフレーム信号をフル電力を使用して送信した後、Ｍ個のブロードキャストフレーム信号を低電力を使用して送信することが可能である。このようにして、電力増幅器が常に動作中状態のままである従来技術における無線ＡＰ装置の動作方法及び無線アクセスポイント装置とは異なり、本発明の実施形態による無線アクセスポイント装置の動作方法及び無線アクセスポイント装置では、電力増幅器は時間間隔に伴って動作し、Ｎ個のブロードキャストフレーム信号がフル電力を使用して送信された後、Ｍ個のブロードキャストフレーム信号が低電力を使用して送信される。従って、電力消費が減少し、電力供給のためにバッテリが使用される場合、動作時間が延長される。
【００１２】
無線アクセスポイント装置の動作方法は、
データ接続がある状態で、全ての適合する送信速度のうち最も低い送信速度を使用してデータ接続を確立し、
現在の送信速度が現在の実際のスループットと予め設定されたシステムパラメータとの合計以上であるかどうかを判断し、現在の送信速度が現在の実際のスループットと予め設定されたシステムパラメータとの合計より小さい場合、送信速度を増加させ、現在の送信速度が現在の実際のスループットと予め設定されたシステムパラメータとの合計以上である場合、現在の送信速度を不変のまま維持することを含む。
【００１３】
無線アクセスポイント装置は、
データ接続がある状態で、全ての適合する送信速度のうち最も低い送信速度を使用してデータ接続を確立するように構成された接続確立ユニットと、
現在の送信速度が現在の実際のスループットと予め設定されたシステムパラメータとの合計以上であるかどうかを判断するように構成された第１の判断ユニットと、
現在の送信速度が現在の実際のスループットと予め設定されたシステムパラメータとの合計より小さい場合、送信速度を増加させるように構成された速度増加ユニットと、
を含む。
【００１４】
従来技術における方法及び装置とは異なり、本発明の実施形態による無線アクセスポイント装置の動作方法及び無線アクセスポイント装置は、全ての適合する送信速度のうち最も低い送信速度を使用してデータ接続を確立し、動作を開始する。次に、現在の送信速度が現在の実際のスループットと予め設定されたシステムパラメータとの合計以上であるかどうかを判断するために、リアルタイムの追跡及び監視が実行される。現在の送信速度が現在の実際のスループットと予め設定されたシステムパラメータとの合計より大きい場合、これは、現在の送信速度がユーザの使用要求を満たすことができることを示しており、送信速度は不変のままとなる。反対に、現在の送信速度が現在の実際のスループットと予め設定されたシステムパラメータとの合計より小さい場合、これは、現在の送信速度がユーザの使用要求を満たすことができないことを示しており、送信速度を増加する必要がある。このようにして、従来技術におけるほとんどの方法及び装置におけるように高い送信速度を使用してデータを送信することが回避される。その代わりに、データ送信が最も低い送信速度を使用して開始され、その後、送信速度が実際のスループットに応じて任意の時に変更され、これにより、高次の変調モードをより多く使用することが回避される。結果として、占有されるシステムリソースが減少し、電力消費が減少し、電力供給のためにバッテリが使用される場合、動作時間が延長される。
【００１５】
本発明の実施形態による又は従来技術における技術的解決法をより明確に説明するために、実施形態又は従来技術を説明するために必要な添付の図面について、以下に簡単に紹介する。明らかに、以下の説明における添付の図面は、本発明の実施形態のうちのいくつかを示すものにすぎず、当業者は、その他の図面を、添付の図面に従って、創造的な活動を行うことなく取得することが可能である。
【図面の簡単な説明】
【００１６】
【図１】本発明の実施形態による無線アクセスポイント装置の動作方法のブロック図である。
【図２】従来技術における及び本発明の実施形態による無線アクセスポイント装置の動作方法の送信電力のカラムチャートである。
【図３】本発明の実施形態による無線アクセスポイント装置の別の動作方法のフローブロック図である。
【図４】本発明の実施形態による無線アクセスポイント装置の概略構成ブロック図である。
【図５】従来技術における無線アクセスポイント装置の概略構成図である。
【図６】本発明の実施形態による無線アクセスポイント装置の概略構成図である。
【図７】本発明の実施形態による別の無線アクセスポイント装置の概略構成図である。
【図８】本発明の実施形態による無線アクセスポイント装置の構成ブロック図である。
【図９】本発明の実施形態による無線アクセスポイント装置の動作方法のフローブロック図である。
【図１０】本発明の実施形態による無線アクセスポイント装置の別の動作方法のフローブロック図である。
【図１１】本発明の実施形態による無線アクセスポイント装置の更に別の動作方法のブロック図である。
【図１２】本発明の実施形態による無線アクセスポイント装置の構成ブロック図である。
【図１３】本発明の実施形態による別の無線アクセスポイント装置の構成ブロック図である。
【発明を実施するための形態】
【００１７】
本発明の技術的解決法について、添付の図面を参照して、以下に、明確かつ包括的に説明する。説明される実施形態は、本発明の実施形態の全てではなく、一部にすぎないということは明白である。当業者によって、本発明の実施形態に基づいて、創造的な活動を行うことなく取得される、全てのその他の実施形態は、本発明の保護範囲内に入る。
【００１８】
図１に示すように、本発明の一実施形態で提供される無線アクセスポイント装置の動作方法は、以下のステップを含む。
【００１９】
ステップＳ１０１：データ接続がない状態で、Ｎ個のブロードキャストフレーム信号をフル電力を使用して送信した後、Ｍ個のブロードキャストフレーム信号を低電力を使用して送信し、ここで、Ｍは０より大きな整数であり、Ｎは１より大きな整数、又はＮは０より大きな整数であり、ＭとＮとの合計は一定期間不変のままである。
【００２０】
加えて、この方法は、各ステーションの受信信号強度インデックス（Ｒｅｃｅｉｖｅｄ  Ｓｉｇｎａｌ  Ｓｔｒｅｎｇｔｈ  Ｉｎｄｅｘ，ＲＳＳＩ）を検出し、ＲＳＳＩに従ってパラメータＮ及びＭの値を動的に調節することを更に含む。
【００２１】
具体的には、パラメータＮ及びＭの選択において、受信された信号のＲＳＳＩが、接続されたステーション装置間の距離を判断するために検出される。動的な調節を実行するために、ステーションの分布が統計的方法を介して評価される。例えば、各新たなステーションのＲＳＳＩは、予め設定された閾値Ｘに従って判定される。ＲＳＳＩ＞Ｘを満たすステーションの数が継続的に増加する場合、Ｍが増加し、Ｎが減少し、ＲＳＳＩ＜Ｘを満たすステーションの数が継続的に増加する場合、Ｎが増加し、Ｍが減少する。図２に示すように、図２の上部における図は、従来技術におけるＡＰの送信状況を示し、図２の下部における図は、本実施形態の送信状況を示す。すなわち、ある時に、２つの信号がフル電力を使用して送信され、８つの信号が低電力を使用して送信される。新たなステーションのアクセスに伴って、新たなステーションの受信強度を判断することによって、本発明の実施形態による動作方法は、実際の状況に応じて変化し、フル電力送信及び低電力送信に関する対応する調節も実行する。
【００２２】
この実施形態から、本発明の実施形態による無線アクセスポイント装置の動作方法では、ＡＰの送信電力が従来技術におけるＡＰの送信電力とは異なるということが明確にわかる。従って、電力消費が減少し、バッテリの動作時間が延長される。
【００２３】
更に、図３に示すように、本発明の実施形態で提供される無線ＡＰ装置の動作方法は、以下のステップを更に含む。
【００２４】
ステップＳ３０１：データ接続がある状態で、全ての適合する送信速度のうち最も低い送信速度を使用してデータ接続を確立する。
【００２５】
ステップＳ３０２：現在の送信速度が現在の実際のスループットと予め設定されたシステムパラメータとの合計以上であるかどうかを判断し（ここで、予め設定されたシステムパラメータは、実際のスループットに追加されるデータトラフィックを示すために使用される）、現在の送信速度が現在の実際のスループットと予め設定されたシステムパラメータとの合計より小さい場合、送信速度を増加させ、現在の送信速度が現在の実際のスループットと予め設定されたシステムパラメータとの合計以上である場合、現在の送信速度を不変のまま維持する。
【００２６】
動作を開始するために、全ての適合する送信速度のうち最も低い送信速度を使用してデータ接続が確立される。次に、現在の送信速度が現在の実際のスループットと予め設定されたシステムパラメータとの合計以上であるかどうかを判断するために、リアルタイムの追跡及び監視が実行される。現在の送信速度が現在の実際のスループットと予め設定されたシステムパラメータとの合計より大きい場合、これは、現在の送信速度がユーザの使用要求を満たすことができることを示しており、送信速度は不変のままとなる。反対に、現在の送信速度が現在の実際のスループットと予め設定されたシステムパラメータとの合計より小さい場合、これは、現在の送信速度がユーザの使用要求を満たすことができないことを示しており、送信速度を増加する必要がある。このようにして、従来技術におけるほとんどの方法及び装置におけるように高い送信速度を使用してデータを送信することが回避される。その代わりに、データ送信が最も低い送信速度を使用して開始され、その後、送信速度は実際のスループットに応じて任意の時に変更され、これにより、高次の変調モードをより多く使用することが回避される。結果として、占有されるシステムリソースが減少し、電力消費が減少し、電力供給のためにバッテリが使用される場合、動作時間が延長される。
【００２７】
更に、上記の判断の後、現在の送信速度での送信における信号強度、信号対雑音比、又は不良パケットの数が、現在の送信速度の正常動作要件を満たすかどうかも判断されてもよく、現在の送信速度の正常動作要件を満たさない場合、現在の送信速度は減少させる。判断は、従来技術と同じであり、すなわち、本発明の実施形態は、従来技術における判断方法とも互換性がある。
【００２８】
図４に示すように、本発明の一実施形態で提供される無線アクセスポイント装置は、次を含む。
【００２９】
データ接続がない状態で、フル電力を使用したＮ個のブロードキャストフレーム信号が送信された後、Ｍ個のブロードキャストフレーム信号を低電力を使用して送信するように構成された電力選択ユニット４０１（ここで、Ｍは０より大きな整数であり、Ｎは１より大きな整数、又はＮは０より大きな整数であり、ＭとＮとの合計は一定期間不変のままである）。
【００３０】
更に、上記の無線アクセスポイント装置は、下記を更に含む。
【００３１】
各ステーションの受信信号強度インデックスＲＳＳＩを検出し、ＲＳＳＩに従ってパラメータＮ及びＭの値を動的に調節するように構成された調節ユニット４０２。
【００３２】
このようにして、電力増幅器が動作中状態に留まる従来技術における無線アクセスポイント装置及びその動作方法とは異なり、本発明の実施形態による無線アクセスポイント装置では、電力増幅器は時間間隔に伴って動作し、Ｎ個のブロードキャストフレーム信号がフル電力を使用して送信された後、Ｍ個のブロードキャストフレーム信号が低電力を使用して送信される。従って、電力消費が減少し、電力供給のためにバッテリが使用される場合、動作時間が延長される。
【００３３】
具体的には、実際の適用例において、既存の無線ＡＰは、図５に示す通りである。データ接続がないアイドル状態において、トランシーバ５０１によって生成されたブロードキャストフレーム信号は、電力増幅器５０２によって常に増幅され、そして、アンテナ５０３を介して送信される。
【００３４】
本発明の実施形態による無線アクセスポイント装置では、電力選択ユニット４０１は、実際の適用例において、２つの単極双投スイッチであってもよい。詳細は、図６に示されている。
【００３５】
第１の単極双投スイッチ６０１は、トランシーバ５０１と電力増幅器５０２との間に配置される。第１の単極双投スイッチ６０１の共用端（ｐｕｂｌｉｃ  ｅｎｄ）６０１Ａはトランシーバ５０１の信号出力端に電気的に接続され、第１の単極双投スイッチ６０１の第１の選択端６０１Ｂは電力増幅器５０２の信号入力端に電気的に接続される。
【００３６】
第２の単極双投スイッチ６０２は電力増幅器５０２とアンテナ５０３との間に配置される。第２の単極双投スイッチ６０２の第１の選択端６０２Ｂは電力増幅器５０２の信号出力端に電気的に接続され、第２の単極双投スイッチ６０２の共用端６０２Ａはスイッチ５０４を介してアンテナ５０３に接続される。
【００３７】
第１の単極双投スイッチ６０１の第２の選択端６０１Ｃは第２の単極双投スイッチ６０２の第２の選択端６０２Ｃに電気的に接続される。
【００３８】
このようにして、２つの追加された単極双投スイッチを介して、トランシーバ５０１とアンテナ５０３との間に２つの経路が形成される。すなわち、経路１は、トランシーバ５０１の信号出力端から始まり、第１の単極双投スイッチ６０１の共用端６０１Ａを通過し、そして、第１の単極双投スイッチ６０１の第１の選択端６０１Ｂを通過して、電力増幅器５０２の信号入力端に到達し、電力増幅器５０２を通過し、電力増幅器５０２の信号出力端から出て、第２の単極双投スイッチ６０２の第１の選択端６０２Ｂを通過し、そして、第２の単極双投スイッチ６０２の共用端６０２Ａを通過し、スイッチ５０４を介してアンテナ５０３に到達する。経路２は、トランシーバ５０１の信号出力端から始まり、第１の単極双投スイッチ６０１の共用端６０１Ａを通過し、そして、第１の単極双投スイッチ６０１の第２の選択端６０１Ｃを通過して、第２の単極双投スイッチ６０２の第２の選択端６０２Ｃに到達し、そして、第２の単極双投スイッチ６０２の共用端６０２Ａを通過し、スイッチ５０４を介してアンテナ５０３に到達する。
【００３９】
図６から、経路１は電力増幅器５０２を通過する一方、経路２は電力増幅器５０２を通過しないということがわかる。従って、トランシーバ５０１によって生成されたブロードキャストフレーム信号は、経路１から送信されてもよく、又は、経路２から送信されてもよい。ここで、経路１を使用することによって実施される大きな電力の送信をフル電力送信と呼び、経路２を使用することによって実施される送信を低電力送信と呼ぶ。
【００４０】
更に、上記の無線アクセスポイント装置は、第１の単極双投スイッチ６０１の共用端６０１Ａ及び第２の単極双投スイッチ６０２の共用端６０２Ａに電気的に接続された制御ユニット（図示せず）を更に含んでもよい。制御ユニットは、第１の単極双投スイッチ６０１の共用端６０１Ａ及び第２の単極双投スイッチ６０２の共用端６０２Ａをそれぞれ、第１の選択端６０１Ｂ及び６０２Ｂに同時に切り換わるように、又は第２の選択端６０１Ｃ及び６０２Ｃに同時に切り換わるように制御する。すなわち、制御ユニットは、トランシーバ５０１によって生成されたブロードキャストフレーム信号が、経路１を介して送信されるか、経路２を介して送信されるかを制御し得る。
【００４１】
具体的には、Ｎ個のブロードキャストフレーム信号を送信するために、制御ユニットが、第１の単極双投スイッチ６０１及び第２の単極双投スイッチ６０２の共用端６０１Ａ及び６０２Ａをそれぞれ第１の単極双投スイッチ６０１及び第２の単極双投スイッチ６０２の第１の選択端６０１Ｂ及び６０２Ｂに同時に切り換わるように制御した後、Ｍ個のブロードキャストフレーム信号を送信するために、制御ユニットは、第１の単極双投スイッチ６０１及び第２の単極双投スイッチ６０２の共用端６０１Ａ及び６０２Ａをそれぞれ第１の単極双投スイッチ６０１及び第２の単極双投スイッチ６０２の第２の選択端６０１Ｃ及び６０２Ｃに同時に切り換わるように制御し、ここで、Ｍは０より大きな整数であり、Ｎは１より大きな整数、又はＮは０より大きな整数であり、ＭとＮとの合計は一定期間不変のままである。
【００４２】
このようにして、データ接続がない状態で、無線アクセスポイント装置は、ブロードキャストフレーム信号の送信電力を一定の間隔比（ｉｎｔｅｒｖａｌ  ｒａｔｉｏ）に従って調節して、Ｎ個のブロードキャストフレーム信号がフル電力を使用して送信された後、Ｍ個のブロードキャストフレーム信号を低電力を使用して送信することが可能である。従って、無線アクセスポイントの電力消費が大幅に減少することができ、バッテリの動作時間が延長される。このような送信モードにおいては、確保されたフル電力を使用したＮ個のブロードキャストフレーム信号によって、最遠端におけるステーション装置が、信号を正しく受信し、関連するアクセスポイント情報を正常に復調し、無線アクセスポイント装置への接続要求を正常に開始して、接続を確立することが可能であることが確実にされる。
【００４３】
本発明の別の実施形態による無線アクセスポイント装置では、電力選択ユニット４０１は、実際の適用例において、１つの単極双投スイッチであってもよい。例えば、図６における第１の単極双投スイッチ６０１のみが残され、ここで、図７を参照すると、第１の単極双投スイッチ６０１の共用端６０１Ａはトランシーバ５０１の信号出力端に電気的に接続され、第１の単極双投スイッチ６０１の第１の選択端６０１Ｂは電力増幅器５０２の信号入力端に電気的に接続され、第１の単極双投スイッチ６０１の第２の選択端６０１Ｃは送信／受信スイッチ５０４と電力増幅器５０２の信号出力端とに直接電気的に接続される。あるいは、図６における第２の単極双投スイッチ６０２のみが残され、ここで、第２の単極双投スイッチ６０２の共用端６０２Ａは送信／受信スイッチ５０４に電気的に接続され、第２の単極双投スイッチ６０２の第１の選択端６０２Ｂは電力増幅器５０２の信号出力端に電気的に接続され、第２の単極双投スイッチ６０２の第２の選択端６０２Ｃはトランシーバ５０１と電力増幅器５０２の信号入力端とに直接電気的に接続される。詳細は、図７に示す通りである。
【００４４】
単極双投スイッチ７０１は、トランシーバ５０１と電力増幅器５０２との間に配置される。単極双投スイッチ７０１の共用端７０１Ａはトランシーバ５０１の信号出力端に電気的に接続され、単極双投スイッチ７０１の第１の選択端７０１Ｂは電力増幅器５０２の信号入力端に電気的に接続され、単極双投スイッチ７０１の第２の選択端７０１Ｃは送信／受信スイッチ５０５に電気的に接続される。
【００４５】
このようにして、単極双投スイッチを追加することによって、トランシーバ５０１とアンテナ５０３との間に２つの経路が形成される。すなわち、経路１は、トランシーバ５０１の信号出力端から始まり、単極双投スイッチ７０１の共用端７０１Ａを通過し、そして、単極双投スイッチ７０１の第１の選択端７０１Ｂを通過して、電力増幅器５０２の信号入力端に到達し、電力増幅器５０２を通過し、電力増幅器５０２の信号出力端から出て、アンテナ５０３に到達する。経路２は、トランシーバ５０１の信号出力端から始まり、単極双投スイッチ７０１の共用端７０１Ａを通過し、そして、単極双投スイッチ７０１の第２の選択端７０１Ｃを通過し、スイッチ５０５を介して、アンテナ５０３に到達する。
【００４６】
図７から、経路１は電力増幅器５０２を通過する一方、経路２は電力増幅器５０２を通過しないということがわかる。従って、トランシーバ５０１によって生成されたブロードキャストフレーム信号は、経路１から送信されてもよく、又は、経路２から送信されてもよい。ここで、経路１を使用することによって実施される大きな電力の送信をフル電力送信と呼び、経路２を使用することによって実施される送信を低電力送信と呼ぶ。
【００４７】
更に、上記の無線アクセスポイント装置は、単極双投スイッチ７０１に電気的に接続された制御ユニットを更に含んでもよい。制御ユニットは、単極双投スイッチ７０１の共用端７０１Ａを、第１の選択端７０１Ｂに切り換わるように、又は第２の選択端７０１Ｃに切り換わるように制御する。すなわち、制御ユニットは、トランシーバ５０１によって生成されたブロードキャストフレーム信号が、経路１を介して送信されるか、経路２を介して送信されるかを制御してもよい。
【００４８】
具体的には、Ｎ個のブロードキャストフレーム信号を送信するために、制御ユニットが単極双投スイッチ７０１の共用端７０１Ａを第１の選択端７０１Ｂに切り換わるように制御した後、Ｍ個のブロードキャストフレーム信号を送信するために、制御ユニットは単極双投スイッチ７０１の共用端７０１Ａを第２の選択端７０１Ｃに切り換わるように制御し、ここで、Ｍは０より大きな整数であり、Ｎは１より大きな整数、又はＮは０より大きな整数であり、ＭとＮとの合計は一定期間不変のままである。
【００４９】
このようにして、データ接続がない状態で、無線アクセスポイント装置は、ブロードキャストフレーム信号の送信電力を一定の間隔比に従って調節して、Ｎ個のブロードキャストフレーム信号がフル電力を使用して送信された後、Ｍ個のブロードキャストフレーム信号を低電力を使用して送信することが可能である。従って、無線ＡＰの電力消費が大幅に減少することができ、バッテリの動作時間が延長される。このような送信モードにおいては、確保されたフル電力を使用したＮ個のブロードキャストフレーム信号によって、最遠端におけるステーション装置が、信号を正しく受信し、関連するＡＰ情報を正常に復調し、無線アクセスポイント装置への接続要求を正常に開始して、接続を確立することが可能であることが確実にされる。
【００５０】
この実施形態において、電力選択ユニット４０１として働く１つ又は２つの単極双投スイッチは、説明のための例にすぎず、本発明の実施形態はこれに限定されないということに留意されたい。その他の装置が、電力選択ユニット４０１として使用されてもよく、それらの装置は、装置の機能が同じである限り、本発明の保護範囲内に入る。
【００５１】
更に、本発明の更に別の実施形態では、図８に示すように、無線アクセスポイント装置は、以下を更に含む。
【００５２】
データ接続がある状態で、全ての適合する送信速度のうち最も低い送信速度を使用してデータ接続を確立するように構成された接続確立ユニット８０１。
【００５３】
現在の送信速度が現在の実際のスループットと予め設定されたシステムパラメータとの合計以上であるかどうかを判断するように構成された第１の判断ユニット８０２。
【００５４】
現在の送信速度が現在の実際のスループットと予め設定されたシステムパラメータとの合計より小さい場合、送信速度を増加するように構成された速度増加ユニット８０３。
【００５５】
このようにして、従来技術におけるほとんどの方法及び装置におけるように高い送信速度を使用してデータを送信することが回避される。その代わりに、データ送信が最も低い送信速度を使用して開始され、その後、送信速度が実際のスループットに応じて任意の時に変更され、これにより、高次の変調モードをより多く使用することが回避される。結果として、占有されるシステムリソースが減少し、電力消費が減少し、電力供給のためにバッテリが使用される場合、動作時間が延長される。
【００５６】
加えて、無線アクセスポイント装置は、以下を更に含む。
【００５７】
現在の送信速度での送信における信号強度、信号対雑音比（ＳＮＲ）、又は不良パケットの数が現在の送信速度の正常動作要件を満たすかどうかを判断するように構成された第２の判断ユニット８０４。
【００５８】
現在の送信速度での送信における信号強度、信号対雑音比、又は不良パケットの数が現在の送信速度の正常動作要件を満たさない場合、現在の送信速度を減少するように構成された速度減少ユニット８０５。
【００５９】
現在の送信速度での送信における信号強度、信号対雑音比、又は不良パケットの数が現在の送信速度の正常動作要件を満たすかどうかが判断され、現在の送信速度での送信における信号強度、信号対雑音比、又は不良パケットの数が現在の送信速度の正常動作要件を満たさない場合、現在の送信速度は減少される。判断は、従来技術と同じであり、すなわち、本発明の実施形態は、従来技術における判断方法とも互換性がある。
【００６０】
図９に示すように、本発明の一実施形態で提供される無線アクセスポイント装置の動作方法は、以下のステップを含む。
【００６１】
ステップＳ９０１：データ接続がある状態で、全ての適合する送信速度のうち最も低い送信速度を使用してデータ接続を確立する。
【００６２】
ステップＳ９０２：現在の送信速度が現在の実際のスループットと予め設定されたシステムパラメータとの合計以上であるかどうかを判断し、現在の送信速度が現在の実際のスループットと予め設定されたシステムパラメータとの合計より小さい場合、送信速度を増加させ、現在の送信速度が現在の実際のスループットと予め設定されたシステムパラメータとの合計以上である場合、現在の送信速度を不変のまま維持する。
【００６３】
動作を開始するために、全ての適合する送信速度のうち最も低い送信速度を使用してデータ接続が確立される。次に、現在の送信速度が現在の実際のスループットと予め設定されたシステムパラメータとの合計以上であるかどうかを判断するために、リアルタイムの追跡及び監視が実行される。現在の送信速度が現在の実際のスループットと予め設定されたシステムパラメータとの合計より大きい場合、これは、現在の送信速度がユーザの使用要求を満たすことができることを示しており、送信速度は不変のままとなる。反対に、現在の送信速度が現在の実際のスループットと予め設定されたシステムパラメータとの合計より小さい場合、これは、現在の送信速度がユーザの使用要求を満たすことができないことを示しており、送信速度を増加する必要がある。
【００６４】
更に、上記の判断の後、図１０に示すように、この方法は、以下のステップを更に含む。
【００６５】
ステップ１００１：現在の送信速度での送信における信号強度、信号対雑音比、又は不良パケットの数が現在の送信速度の正常動作要件を満たすかどうかを判断し、現在の送信速度での送信における信号強度、信号対雑音比、又は不良パケットの数が現在の送信速度の正常動作要件を満たさない場合、現在の送信速度を減少させる。
【００６６】
このようにして、従来技術におけるほとんどの方法及び装置におけるように高い送信速度を使用してデータを送信することが回避される。その代わりに、データ送信が最も低い送信速度を使用して開始され、その後、送信速度が実際のスループットに応じて任意の時に変更され、これにより、高次の変調モードをより多く使用することが回避される。結果として、占有されるシステムリソースが減少し、電力消費が減少し、電力供給のためにバッテリが使用される場合、動作時間が延長される。
【００６７】
具体的には、図１１に示すように、本発明の別の実施形態で提供される無線アクセスポイント装置の動作方法は、以下のステップを含む。
【００６８】
ステップ１１０１：この実施形態における無線ＡＰであってもよい無線アクセスポイント装置が、全ての適合する送信速度のうち最も低い送信速度を使用してデータ接続を確立する。
【００６９】
ステップ１１０２：無線ＡＰは、現在の送信速度を使用してデータ送信を実行する。
【００７０】
ステップ１１０３：データ送信プロセスが完了したかどうかを判断し、データ送信プロセスが完了した場合、データ送信を終了する。
【００７１】
ステップ１１０４：データ送信が完了していない場合、現在の送信速度が現在の実際のスループットと予め設定されたシステムパラメータとの合計以上であるかどうかを判断する。
【００７２】
ステップ１１０５：判断結果が、現在の送信速度が現在の実際のスループットと予め設定されたシステムパラメータとの合計より小さいというものである場合、すなわち、現在の送信速度がユーザの要求を満たすことができない場合、データ送信速度を増加させる。
【００７３】
ステップ１１０６：ステップ１１０４で、現在の送信速度が現在の実際のスループットと予め設定されたシステムパラメータとの合計以上であると判定された場合、すなわち、現在の送信速度がユーザの要求を満たすことができる場合、現在の送信速度での送信における信号強度、ＳＮＲ、又は不良パケットの数が現在の送信速度の要件を満たすかどうかを判断し、現在の送信速度での送信における信号強度、ＳＮＲ、又は不良パケットの数が現在の送信速度の要件を満たす場合、その送信速度を使用して送信を継続する。
【００７４】
あるいは、ステップ１１０４で、現在の送信速度が現在の実際のスループットと予め設定されたシステムパラメータとの合計より小さいと判定された場合、すなわち、現在の送信速度がユーザの要求を満たすことができない場合、ステップ１１０５で増加された送信速度での送信における信号強度、ＳＮＲ、又は不良パケットの数が現在の送信速度の要件を満たすかどうかを判断し、ステップ１１０５で増加された送信速度での送信における信号強度、ＳＮＲ、又は不良パケットの数が現在の送信速度の要件を満たす場合、その送信速度を使用して送信を継続する。
【００７５】
ステップ１１０７：ステップ１１０６で現在の送信速度での送信における信号強度、ＳＮＲ、又は不良パケットの数が現在の送信速度の要件を満たさないと判断された場合、現在の送信速度を減少させ、減少された速度を使用して送信を実行する。
【００７６】
この実施形態の無線ＡＰの動作方法は、従来技術における判断方法と互換性があるだけでなく、更に、動作を開始するために、全ての適合する送信速度のうち最も低い送信速度を使用してデータ接続を確立する。そして、現在の送信速度が現在の実際のスループットと予め設定されたシステムパラメータとの合計以上であるかどうかを判断するために、リアルタイムの追跡及び監視が実行される。現在の送信速度が現在の実際のスループットと予め設定されたシステムパラメータとの合計より大きい場合、これは、現在の送信速度がユーザの使用要求を満たすことができることを示しており、送信速度は不変のままとなる。反対に、現在の送信速度が現在の実際のスループットと予め設定されたシステムパラメータとの合計より小さい場合、これは、現在の送信速度がユーザの使用要求を満たすことができないことを示しており、送信速度を増加する必要がある。このようにして、従来技術におけるほとんどの方法及び装置におけるように高い送信速度を使用してデータを送信することが回避される。その代わりに、データ送信が最も低い送信速度を使用して開始され、その後、送信速度が実際のスループットに応じて任意の時に変更され、これにより、高次の変調モードをより多く使用することが回避される。結果として、占有されるシステムリソースが減少し、電力消費が減少し、電力供給のためにバッテリが使用される場合、動作時間が延長される。
【００７７】
図１２に示すように、本発明の一実施形態で提供される無線アクセスポイント装置は、以下を含む。
【００７８】
データ接続がある状態で、全ての適合する送信速度のうち最も低い送信速度を使用してデータ接続を確立するように構成された接続確立ユニット１２０１。
【００７９】
現在の送信速度が現在の実際のスループットと予め設定されたシステムパラメータとの合計以上であるかどうかを判断するように構成された第１の判断ユニット１２０２。
【００８０】
現在の送信速度が現在の実際のスループットと予め設定されたシステムパラメータとの合計より小さい場合、送信速度を増加させるように構成された速度増加ユニット１２０３。
【００８１】
このようにして、従来技術におけるほとんどの方法及び装置におけるように高い送信速度を使用してデータを送信することが回避される。その代わりに、データ送信が最も低い送信速度を使用して開始され、その後、送信速度が実際のスループットに応じて任意の時に変更され、これにより、高次の変調モードをより多く使用することが回避される。結果として、占有されるシステムリソースが減少し、電力消費が減少し、電力供給のためにバッテリが使用される場合、動作時間が延長される。
【００８２】
加えて、図１３に示すように、本発明の別の実施形態で提供される無線アクセスポイント装置は、以下を更に含む。
【００８３】
現在の送信速度での送信における信号強度、信号対雑音比、又は不良パケットの数が現在の送信速度の正常動作要件を満たすかどうかを判断するように構成された第２の判断ユニット１３０１。
【００８４】
現在の送信速度での送信における信号強度、信号対雑音比、又は不良パケットの数が現在の送信速度の正常動作要件を満たさない場合、現在の送信速度を減少させるように構成された速度減少ユニット１３０２。
【００８５】
現在の送信速度での送信における信号強度、信号対雑音比、又は不良パケットの数が現在の送信速度の正常動作要件を満たすかどうかが判断され、現在の送信速度の正常動作要件を満たさない場合、現在の送信速度は減少される。判断は、従来技術と同じであり、すなわち、本発明の実施形態は、従来技術における判断とも互換性がある。
【００８６】
上記は本発明の特定の実施にすぎず、本発明の保護範囲は本明細書に限定されない。本発明によって開示された技術的範囲内の、当業者によって容易に見い出されることが可能ないかなる変更又は置換も、本発明の保護範囲に含まれる。従って、本発明の保護範囲は、特許請求の範囲の保護範囲である。
【図１】
0005583779.tif 000002
【図２】
0005583779.tif 000003
【図３】
0005583779.tif 000004
【図４】
0005583779.tif 000005
【図５】
0005583779.tif 000006
【図６】
0005583779.tif 000007
【図７】
0005583779.tif 000008
【図８】
0005583779.tif 000009
【図９】
0005583779.tif 000010
【図１０】
0005583779.tif 000011
【図１１】
0005583779.tif 000012
【図１２】
0005583779.tif 000013
【図１３】
0005583779.tif 000014